(57)【要約】【課題】  バグフィルタのダスト排出部のダストボックスにセットされたダスト回収袋が、集塵中の負圧によりバグフィルタ内へ引っ張られバグフィルタ内で膨らむのを防ぐ着脱可能なアタッチメントを提供する。【解決手段】  本発明のアタッチメントは、ダストボックス上部に着脱可能なリング状であり、アタッチメントの中央空間部分を通じてダストボックス内にダスト回収袋を挿入し、ダスト回収袋はダスト排出部とアタッチメントにより挟持されている。また、アタッチメントの隙間部を通じて、ダストボックスの内壁とダスト回収袋の外側により囲われた空間を負圧にしている。【選択図】    図３
2015100729.tif 000002
【特許請求の範囲】
【請求項１】
バグフィルタのダスト排出部に、ダストを回収するためのダストボックスを備えたバグフィルタであって、
該ダストボックス上部に着脱が可能なリング状のアタッチメントを取り付け、該アタッチメントの中央空間部分を通じて該ダストボックス内にダスト回収袋を挿入し、該ダスト回収袋は該ダスト排出部と該アタッチメントにより挟持され、
前記アタッチメントの隙間部を通じて、前記ダストボックスの内壁と前記ダスト回収袋の外側により囲われた空間を負圧にすること特徴とするバグフィルタ。
【請求項２】
前記アタッチメントが、リング状の上フランジと、該上フランジのリング内周面と上端で結合した円筒状の筒部と、前記上フランジの下部に結合している隙間形成部材と、該隙間形成部材を介し上フランジと反対側に結合している前記上フランジと同形状の下フランジと、を備えている請求項１記載のバグフィルタ。
【請求項３】
前記アタッチメントの前記隙間部において、前記ダストボックスの空間とは反対側に設けられた開口部が、前記バグフィルタの集塵室と接続していることを特徴とする請求項１または請求項２に記載のバグフィルタ。
【請求項４】
前記アタッチメントの前記筒部の外周に、簡単に前記ダストボックスの中央に前記アタッチメントを装着することが可能なガイドを搭載したことを特徴とする請求項２に記載のバグフィルタ。
【発明の詳細な説明】
【技術分野】
【０００１】
本発明は、バグフィルタのダスト排出部にダストを回収するためのダストボックスを備えたバグフィルタであって、既存のダストボックスにダスト回収袋を簡単にセットするためのダスト回収袋用アタッチメントを備えたバグフィルタに関する。
【背景技術】
【０００２】
従来、集塵機にて集められたダストは、集塵機のダスト排出部のダストボックスに回収されている。このダストボックスのダストを定期的に排出する必要があり、ダストボックスを取り外して中に溜まっているダストを、他の容器またはダスト回収袋に移している。
【０００３】
ここで、ダストボックスからダスト回収袋など別容器にダストを移す作業において、ダストの飛散の問題があったため、移し替え作業をなくす工夫の一つとしてダストボックス内に予め空のダスト回収袋を取付ける方法が考えられるが、集塵機を運転すると同時に集塵機内の集塵室が負圧となるため、ダスト回収袋が集塵機内側へ膨らんでしまうという問題があった。図６は、従来の方法で（ａ）ダスト回収袋をセットした状態（ｂ）集塵機を運転させた状態を示している。
【０００４】
上記の負圧によってダスト回収袋が機内側へ膨らんでしまうことを解決するために、ダスト回収袋とダストボックスの間を負圧に排気する機構を備えた集塵機が開示されている（特許文献１）。
【０００５】
しかしながら、この方法では既存の集塵機に取り付けようとすると改造が必要となり、その間、集塵機の稼働ができない。また、客先によってはコスト優先での仕様で、ダスト回収袋を必要としない場合もある。よって、ダスト回収袋の取付けについて、既存の集塵機にも簡単に取り付けることができ、新規の集塵機においても、ダストボックスの設計を変更せずに追加部品によりダスト回収袋の取付けが行うことができるものが望まれていた。
【先行技術文献】
【特許文献】
【０００６】
【特許文献１】特公平２−３７２３５号公報
【発明の概要】
【発明が解決しようとする課題】
【０００７】
本発明は、上記の事情に鑑みてなされたもので、既存の集塵機にも簡単に取り付けることができ、新規の場合にも、ダストボックスの設計を変更せずにダスト回収袋の取付けが問題なく行うことができるアタッチメントを備えたバグフィルタを提供することを目的としている。
【課題を解決するための手段】
【０００８】
上記の目的を達成するために、請求項１に記載の発明では、バグフィルタのダスト排出部に、ダストを回収するためのダストボックスを備えたバグフィルタであって、
ダストボックス上部に着脱が可能なリング状のアタッチメントを取り付け、アタッチメントの中央空間部分を通じてダストボックス内にダスト回収袋を挿入し、ダスト回収袋はダスト排出部とアタッチメントにより挟持され、アタッチメントの隙間部を通じて、ダストボックスの内壁とダスト回収袋の外側により囲われた空間を負圧にするという技術的手段を用いる。
【０００９】
請求項１に記載の発明によれば、既存のバグフィルタにおいても、改造を必要とせずに、ダスト排出部とダストボックスとの間にリング状のアタッチメントを取付けた後にダスト回収袋を取り付け、ダストボックスの内壁とダスト回収袋の外側により囲われた空間を負圧にすることにより、ダスト回収袋が集塵機内側へ膨らんでしまうという問題が解決することができる。また、ダスト回収袋が用意できない場合においても、アタッチメントを外して使用すれば、問題なくバグフィルタを運転することができる。
【００１０】
請求項２に記載の発明では、アタッチメントが、リング状の上フランジと、上フランジのリング内周面と上端で結合した円筒状の筒部と、上フランジの下部に結合している隙間形成部材と、隙間形成部材を介し上フランジと反対側に結合している上フランジと同形状の下フランジと、を備えているという技術的手段を用いる。
【００１１】
請求項２に記載の発明によれば、簡単な構成のアタッチメントであるため、コスト的に安く提供できる。
【００１２】
請求項３に記載の発明では、アタッチメントの隙間部において、ダストボックスの空間とは反対側に設けられた開口部が、バグフィルタの集塵室と接続しているという技術的手段を用いる。
【００１３】
請求項３に記載の発明によれば、負圧は集塵機の集塵室より供給可能であるため、負圧を発生させるための特別な機材を必要しない。さらに万が一、ダスト回収袋が破損しても、集塵室に接続しているため、集塵機本体への影響はない。
【００１４】
請求項４に記載の発明では、
アタッチメントの筒部の外周に、簡単にダストボックスの中央にアタッチメントを装着することが可能なガイドを搭載するという技術的手段を用いる。
【００１５】
請求項４に記載の発明によれば、アタッチメントの筒部の外周にガイドを設けることで、簡単にダストボックスの中央にアタッチメントを装着することができる。これによって、ダストボックスとアタッチメントのシール性が良くなり、簡単に集塵機内の密閉性を高めることが可能となる
【発明の効果】
【００１６】
本発明によれば、脱着可能なダスト回収袋用のアタッチメントを用いることで、既存の集塵機にも問題なくダスト回収袋を簡単に取り付けることができ、ダスト回収袋を使用しない場合においてもアタッチメントを外せば問題なく集塵機を稼働させることができるバグフィルタを提供することができる。
【図面の簡単な説明】
【００１７】
【図１】本発明によるアタッチメントを備えたバグフィルタの一部断面図を示す。
【図２】本発明によるアタッチメントの全体図を示す。
【図３】本発明によるアタッチメントの断面図を示す。
【図４】本発明によるアタッチメントおよびダスト回収袋とダストボックスの関係を表す簡易断面図を示す。
【図５】本発明によるアタッチメントを使用して（ａ）ダスト回収袋をセットした状態（ｂ）にてバグフィルタを運転させた状態を示す。
【図６】従来の方法で（ａ）ダスト回収袋をセットした状態（ｂ）にてバグフィルタを運転させた状態を示す。
【発明を実施するための形態】
【００１８】
以下、本発明のアタッチメントを備えたバグフィルタについて説明する。
図１に示すようにバグフィルタＡは、種々の機械や装置から発生する粉塵を吸引する図示しない吸引装置と、吸引されてきた粉塵を導入する集塵室Ｂと、集塵室Ｂの中に設置され粉塵を空気からろ過をするろ紙・ろ布などによるろ過手段Ｃとからなっている。
【００１９】
本発明のアタッチメント１は、バグフィルタＡのダスト排出部であるホッパＤの下端に取り付けられ、バグフィルタＡによって集塵されたダストを回収するダスト回収袋Ｗを、ダストを貯蔵するダストボックスＥとともに固定するために使用するものである。
【００２０】
図２は、本発明のアタッチメント１の全体図である。また、図３は、アタッチメント１の断面図である。また、図４は、アタッチメント１およびダスト回収袋ＷとダストボックスＥの関係を表す簡易断面図である。
【００２１】
フランジリブ２は、ホッパＤに接合され、ダストボックスＥの上部開口部と同形状のリングである。ダストボックスＥと同形状とすることにより、バグフィルタＡにある既設の設備（例えば、パッキン）を追加工・交換することなく使用することが可能であり、バグフィルタＡのダスト排出部であるホッパＤとフランジリブ２であるリングの接合部によって、リングの面圧でシール性を確保することができる。
【００２２】
上フランジ３は、フランジリブ２が上部に取り付けられホッパＤの下端に接している。
下フランジ４は、上フランジ３と同形状をしており、上フランジ３との間に僅かな隙間部Ｇを隙間形成部材４ａによって形成して上フランジ３と結合している。これらの上フランジ３、下フランジ４および隙間部Ｇを薄く、狭くすることでダストボックスＥ及びバグフィルタＡ本体への加工や追加部品も不要になる。また、ダスト回収袋の有無によっての都度設計が不要になることで、コストが下がり、納期も短くすることができる。
【００２３】
筒部５は、その上端部が上フランジ３の内周部と結合し、その下端部が下フランジ４へ向かって伸びる円筒状の部材である。なお、上フランジ３の全内周とは結合しているが、下フランジ４の全内周とは結合していない。すなわち、下フランジ４と筒部５との間には一定の空間（隙間）がある。また、筒部５の周囲にダストボックスＥの内周と接しダストボックスＥとの間に一定の隙間を形成するとともに支持をする複数のガイド６を有している。この筒部５とガイド６とによってダストボックスＥの中央にアタッチメントを装着できる。
【００２４】
空気継手７は、上フランジ３と下フランジ４との間の隙間部Ｇに連通し、バグフィルタＡの集塵室に接続（配管）されている。より詳しくは、空気継手７は、上フランジ３と下フランジ４との間の隙間部ＧのダストボックスＥに通じる空間とは反対側に設けられた開口部Ｌに取り付けられている。そして、空気継手７はバグフィルタＡの集塵室Ｂに接続されている。
【００２５】
ダスト回収袋Ｗは、フランジリブ２とホッパＤとに挟持されることによってその開口部Ｈが固定されている（図５も参照）。そして、その閉塞部Ｋは筒部５の内側（中央空間部分）を通りダストボックスＥに接するように配置されている。
【００２６】
ダストボックスＥとダスト回収袋Ｗとの間の空気は、バグフィルタＡから空気継手７を通して吸引されている。これにより、ダストボックスＥとダスト回収袋Ｗとの空間Ｓは負圧になっている。
【００２７】
パッキン８は、下フランジ４のダストボックスＥが接する位置にある。これは、ダストボックスＥとアタッチメント１との間のシール性を確保している。
【００２８】
エッジパッキン９は、筒部５の下端部を覆っている。これは、筒部５のエッジ部でダスト回収袋Ｗを破損させない為である。また、エッジパッキン９の材質は、プラスチックを使用している。なお、筒部５の下端部を覆ってダスト回収袋Ｗを破損させない材質であれば何でもよい。
【実施例１】
【００２９】
以下、実施例として、本発明のアタッチメント１を使用したバグフィルタの動作およびアタッチメント１の機能について、図４、５を用いて説明する。
【００３０】
バグフィルタＡは、図示しない吸引装置によって粉塵などを吸引し、バグフィルタＡの集塵室Ｂに粉塵などを導入させて、濾紙・濾布などによるろ過手段Ｃによってろ過される。ろ過された粉塵はろ過手段Ｃから払い落とされて、バグフィルタＡのダスト排出部であるホッパＤに集められる。そして、払い落とされた粉塵は、ホッパＤからホッパＤの下端に取り付けられているダストボックスＥ内のダスト回収袋Ｗに貯蔵される。
【００３１】
バグフィルタＡが運転していないとき、図５（ａ）に示すようにダスト回収袋Ｗは、自重によって垂れ下がっている。そして、バグフィルタＡを運転させると図示しない吸引装置が作動し粉塵などの吸引を開始する。それに伴い、上フランジ３と下フランジ４との間の隙間部Ｇにある空気は、バグフィルタＡから空気継手７を介して吸引される。
【００３２】
上フランジ３と下フランジ４との間の隙間部Ｇは、ダストボックスＥとダスト回収袋Ｗとの空間Ｓに繋がっているので、ダストボックスＥとダスト回収袋Ｗとの空間ＳはバグフィルタＡに空気を吸われ負圧になっている。これにより、図５（ｂ）に示すようにダスト回収袋ＷがダストボックスＥに張り付き、ダスト回収袋ＷはバグフィルタＡの内側へ引っ張られることはない。
【００３３】
本発明では、ダストボックスＥはペール缶を使用しているが、バグフィルタＡからの吸引による負圧に耐えられる容器であり、かつホッパＤの下端に取り付けられるものであればよい。
【００３４】
ダスト回収袋Ｗにある程度粉塵が貯まったとき、バグフィルタＡの運転を止める。そして、ダスト回収袋Ｗをアタッチメント１およびダストボックスＥから取り外し、新たなダスト回収袋Ｗを取り付けてバグフィルタＡの運転を再開する。
【符号の説明】
【００３５】
１      アタッチメント
２      フランジリブ
３      上フランジ
４      下フランジ
４ａ    隙間形成部材
５      筒部
６      ガイド
７      空気継手
８      パッキン
９      エッジパッキン
Ａ      バグフィルタ
Ｂ      集塵室
Ｃ      ろ過手段
Ｄ      ホッパ
Ｅ      ダストボックス
Ｇ      隙間部
Ｈ      ダスト回収袋の開口部
Ｋ      ダスト回収袋の閉塞部
Ｌ      ダストボックスに通じる空間とは反対側に設けられた開口部
Ｓ      ダストボックスとダスト回収袋との空間
Ｗ      ダスト回収袋
【図１】
2015100729.tif 000003
【図２】
2015100729.tif 000004
【図３】
2015100729.tif 000005
【図４】
2015100729.tif 000006
【図５】
2015100729.tif 000007
【図６】
2015100729.tif 000008